(57)【要約】【課題】支持板を動きにくくし、物品が収納空間の外側に動きにくくなり、収納空間に収納している物品が梱包材の内部に入り込みにくい梱包材を提供する。【解決手段】この梱包材１は、紙で形成されており、開口部３を略矩形状の上面２に有している。この開口部３の周辺を底面５側に折り返して複数の支持板７ａ〜７ｄを形成している。物品は、支持板７ａ〜７ｄによって囲まれる収納空間４に収納される。この梱包材１では、底面５は、支持板７ａ〜７ｄ毎に上面２側に折り返し、その側辺が対応する支持板７ａ〜７ｄに対向する折り返し部９ａ〜９ｈを収納空間４の外側に形成している。【選択図】図１
2009286492.tif 000002
【特許請求の範囲】
【請求項１】
開口部を上面に有し、当該開口部の周辺を底面側に折り返して形成した複数の支持板によって囲まれる収納空間に、物品を収納する紙製の梱包材において、
前記底面は、前記支持板毎に前記上面側に折り返し、その側辺が対応する支持板に対向する折り返し部を前記収納空間の外側に形成している、梱包材。
【請求項２】
前記上面と前記底面とは、一枚の紙を折り返して形成している、請求項１に記載の梱包材。
【請求項３】
前記底面は、前記支持板毎に先端部が挿通する第１の貫通溝を有している、請求項１または２に記載の梱包材。
【請求項４】
前記上面は、前記折り返し部毎に先端部が挿通する第２の貫通溝を有している、請求項１〜３の何れかに記載の梱包材。
【発明の詳細な説明】
【技術分野】
【０００１】
本発明は、物品を収納する収納空間を備えた梱包材に関する。
【背景技術】
【０００２】
従来、物品の破損等を防ぐために、物品を紙製（例えば、段ボールや厚紙）の梱包材に収納し、物品を個装箱に箱詰めする。梱包材は、外形が略直方体形状であり、開口部を上面に設けている。梱包材は、開口部の周辺を底面側に折り返して形成した支持板により囲まれる収納空間に物品を収納する。この収納空間は物品の形状に合わせた形状である。
【０００３】
また、特許文献１では、梱包材に設けた複数の支持板により２つの収納空間を並べて形成し、切欠部を隣接する支持板毎に設け、これらの支持板が切欠部で係合している。各収納空間は物品の形状に合わせた形状であり、物品が各収納空間に収納される。
【特許文献１】特開２００３−２９２０４２号公報
【発明の開示】
【発明が解決しようとする課題】
【０００４】
しかしながら、従来の梱包材では、支持板が動きやすく、物品が支持板を押しのけて、収納空間の外側に動きやすかった。そのため、収納していた物品が梱包材の内部に入り込みやすかった。また、特許文献１のように隣接する支持板を係合させても、支持板が動きやすく、支持板が動く方向によっては、支持板の係合が外れてしまい、物品が収納空間の外側に動きやすかった。そのため、収納していた物品が梱包材の内部に入り込みやすかった。
【０００５】
そこで、本発明の目的は、支持板を動きにくくし、物品が収納空間の外側に動きにくくなり、収納していた物品が梱包材の内部に入り込みにくい梱包材を提供することにある。
【課題を解決するための手段】
【０００６】
上記課題に鑑み、本発明の構成は、以下の通りである。
【０００７】
この梱包材は紙で形成され、開口部を上面に有し、この開口部の周辺を底面側に折り返して形成した複数の支持板によって囲まれる収納空間に、物品を収納する。上面と底面とは、一枚の紙を折り返して形成していても良い。
【０００８】
この梱包材では、底面は、支持板毎に上面側に折り返し、その側辺が対応する支持板に対向する折り返し部を収納空間の外側に形成している。底面は、支持板毎に先端部が挿通する第１の貫通溝を有していても良い。また、上面は、折り返し部毎に先端部が挿通する第２の貫通溝を有していても良い。
【０００９】
こうすることにより、梱包材に収納している物品が動き、物品が支持板を押しのけよとしても、収納空間の外側に形成している折り返し部の側辺が対応する支持板の面に緩衝するため、支持板の動きを折り返し部が抑えることができる。したがって、梱包材に収納している物品が動いても、支持板が動きにくくなり、物品が収納空間の外側に動きにくくなるので、収納していた物品が梱包材の内部に入り込みにくくなる。
【発明の効果】
【００１０】
支持板が動きにくくなり、物品が収納空間の外側に動きにくくなるので、収納していた物品が梱包材の内部に入り込みにくくなる。
【発明を実施するための最良の形態】
【００１１】
以下、本発明の実施形態である梱包材について説明する。梱包材は、物品の破損等を防ぐために使用される。物品は、紙製（例えば、段ボールや厚紙）の梱包材に収納され、個装箱に箱詰めされる。
【００１２】
図１は、梱包材１を上面から見た外観斜視図である。図２は、梱包材１を底面から見た外観斜視図である。図３は、梱包材１の展開図である。なお、図３において、折り返し位置を破線で示し、切り込み位置を実線で示している。
【００１３】
梱包材１は、図３に示す一枚の略矩形状の紙（例えば、段ボールや厚紙）を折り返して形成している。梱包材１は、図１及び図２に示す通り、その外形が略直方体形状である。梱包材１は、上面２に設けている開口部３からＰＮＤ（Personal NavigationDevice）等の電子機器やその他の物品を収納空間４に収納する。収納空間４は、収納する物品の形状に合わせた形状であり、本実施形態では、収納するＰＮＤ２０の形状に合わせた形状である。
【００１４】
梱包材１の各構成について説明する。図１〜図３に示す通り、梱包材１は、上面２、底面５、側面６ａ〜６ｃにより構成される。
【００１５】
上面２について図１及び図３に基づいて説明する。上面２は、開口部３、支持板７ａ〜７ｄ、取出孔８ａ，８ｂを有している。
【００１６】
上面２は、外形が矩形状であり、開口部３を中央部に設けている。上面２は、図３の破線で示す折り返し線を開口部３の周辺に設けており、この折り返し線で底面５側に折り返して形成した支持板７ａ〜７ｄを有している。支持板７ａ〜７ｄは、爪７０ａ〜７０ｄを先端部毎に有している。各爪７０ａ〜７０ｄが後述する底面５に設けられている貫通溝１０ａ〜１０ｄに挿通する。支持板７ａ〜７ｄによって囲まれ、収納空間４が形成されている。取出孔８ａ，８ｂは、図３に示す通り、上面２に円形状に設けられており、支持板７ｂ，７ｄの折り返し線にその中心がある。利用者は、指を取出孔８ａ，８ｂに入れて、物品を取り出すことができる。
【００１７】
次に、底面５について図１〜図３に基づいて説明する。底面５は、折り返し部９ａ〜９ｈ、貫通溝１０ａ〜１０ｄ、切り込み１１を有している。なお、本実施形態における貫通溝１０ａ〜１０ｄは、本発明における第１の貫通溝に相当する。
【００１８】
底面５は、外形が上面２と略等しい矩形状である。底面５は、支持板７ａ〜７ｄ毎に上面２側に折り返して形成し、その側辺が対応する支持板７ａ〜７ｄに対向する折り返し部９ａ〜９ｈを有している。折り返し部９ａ〜９ｈは、収納空間４の外側にある。折り返し部９ａ，９ｂは支持板７ａに対応し、折り返し部９ｃ，９ｄは支持板７ｂに対応し、折り返し部９ｅ，９ｆは支持板７ｃに対応し、折り返し部９ｇ，９ｈは支持板７ｄに対応する。
【００１９】
図３に示す通り、折り返し部９ａ，９ｂの破線で示す折り返し線と、支持板７ａの破線で示す折り返し線とは、その方向が異なっている。具体的には、折り返し部９ａ，９ｂの折り返し線の方向は、支持板７ａの折り返し線の方向に対して略垂直である。また、折り返し部９ｃ〜９ｈの各折り返し線の方向も対応する支持板７ｂ〜７ｄの各折り返し線の方向に対して略垂直である。
【００２０】
このように、折り返し部９ａ〜９ｈを対応する支持板７ａ〜７ｄとは異なる方向で折り返して形成しているため、折り返し部９ａ〜９ｈの側辺が、対応する支持板７ａ〜７ｄの面に対向する。支持板７ａ〜７ｄと折り返し部９ａ〜９ｈを異なる方向で折り返しているので、支持板７ａ〜７ｄが動く方向と、折り返し部９ａ〜９ｈが動く方向とが異なる。したがって、折り返し部９ａ〜９ｈの側辺が対応する支持板７ａ〜７ｄ毎の動きを抑えるので、支持板７ａ〜７ｄは動きにくくなる。
【００２１】
また、図１〜図３に示す通り、貫通溝１０ａ〜１０ｄは、支持板７ａ〜７ｄの折り返し位置に対向する位置にあり、支持板７ａ〜７ｄ毎に設けている爪７０ａ〜７０ｄが、貫通溝１０ａ〜１０ｄに其々挿通する。
【００２２】
このように、支持板７ａ〜７ｄ毎に設けている爪７０ａ〜７０ｄが貫通溝１０ａ〜１０ｄ毎に挿通していることで、収納している物品が動いても、支持板７ａ〜７ｄ毎の動きが抑えられるので、支持板７ａ〜７ｄは動きにくくなる。そのため、収納している物品が収納空間４の外側に動きにくくなり、梱包材１の内部に入り込みにくくなる。
【００２３】
また、底面５は略コ字状の切り込み１１を設けている。この切り込み１１が差込口として機能し、後述する係合片１２がこの差込口に差し込まれる。
【００２４】
次に側面６ａ〜６ｃについて図１〜図３に基づいて説明する。側面６ａ〜６ｃは、略同じ矩形状である。側面６ｂは、係合片１２を有している。係合片１２は、上述した切り込み１１に対向した位置にあり、先細りした台形状であり、差込口に差し込まれると、後端の角部が上述した差込口に係合する。
【００２５】
図４は、図１におけるＡＡ’方向における側面図である。支持板７ａの先端部に設けている爪７０ａが貫通溝１０ａに挿通する。また、支持板７ｂ，７ｄ毎に設けている爪７０ｂ，７０ｄが貫通溝１０ｂ，１０ｄ毎に挿通する。支持板７ａに対応する折り返し部９ａ，９ｂは、底面５を上面２側に折り返して形成しており、その先端部毎に上面２に当接し、その側辺毎に支持板７ａに対向する。また、支持板７ｃ及び折り返し部９ｅ，９ｆは、支持板７ａ及び折り返し部９ａ，９ｂと略同様であり、爪７０ｃが貫通溝１０ｃに挿通する。そして、支持板７ｃに対応する折り返し部９ｅ，９ｆは、底面５を上面２側に折り返して形成しており、その先端部毎に上面２に当接し、その側辺毎に支持板７ｃに対向する。
【００２６】
図５は、図１におけるＢＢ’方向における断面図である。支持板７ｂに対応する折り返し部９ｃ，９ｄは、底面５を上面２側に折り返して形成しており、その先端部毎に上面２に当接し、その側辺毎に支持板７ｂに対向する。また、支持板７ｄも支持板７ｂと同様に、対応する折り返し部９ｇ，９ｈは、底面５を上面２側に折り返して形成しており、その先端部毎に上面２に当接し、その側辺毎に支持板７ｄに対向する。
【００２７】
このように、支持板７ａ〜７ｄ毎に対応する折り返し部９ａ〜９ｈの側辺が対向するので、折り返し部９ａ〜９ｈの側辺が支持板７ａ〜７ｄを動きにくくする。
【００２８】
また、折り返し部９ａ，９ｂ毎に、底面５を上面２側に折り返して形成しているので、物品の付属品等を折り返し部９ａ，９ｂの間に形成されている空間に収納することで、物品と付属品等とが当たらないようにできる。また、折り返し部９ｅ，９ｆとの間に形成されている空間も同様の効果を奏する。
【００２９】
次に、梱包材１の組み立て工程について図６に基づいて説明する。図６（Ａ）〜図６（Ｅ）は、梱包材１を形成するまでの各工程を示す図である。
【００３０】
一枚の紙を図３において実線で示す切り込み位置に基づいて切り込み、側面６ｂ，６ｃ及び係合片１２を図３において破線で示す折り返し位置で折り返す（図６（Ａ））。上面２及び底面５を図３において破線で示す折り返し位置で折り返す（図６（Ｂ））。上面２と底面５とを対向させ、側面６ｃの先端部を側面６ｂの折り返し位置に合わせる（図６（Ｃ））。係合片１２を差込口に差し込み、支持板７ａ〜７ｄを底面５側に折り返して形成し、爪７０ａ〜７０ｄ毎に貫通溝１０ａ〜１０ｄに挿通させ、収納空間４を形成する。このとき、取出孔８ａ，８ｂも形成される（図６（Ｄ））。底面５を上面２側に折り返して折り返し部９ａ〜９ｈを形成し、折り返し部９ａ〜９ｈ毎の側辺を対応する支持板に対向させる（図６（Ｅ））。
【００３１】
図７は、物品を梱包材１に収納した状態を示す図である。本実施形態では、物品の例としてＰＮＤ２０を梱包材１に収納している。このＰＮＤ２０は、上述した梱包材１に設けている開口部３から収納空間４に収納される。利用者は、指を取出孔８ａ，８ｂに入れて、ＰＮＤ２０を取り出す。
【００３２】
上述した通り、折り返し部９ａ〜９ｈの側辺が、対応する支持板７ａ〜７ｄを動きにくくすることにより、支持板７ａ〜７ｄが動きにくくなり、ＰＮＤ２０が収納空間４の外側に動きにくくなる。したがって、収納空間４に収納しているＰＮＤ２０が梱包材１の内部に入り込みにくくなる。
【００３３】
なお、本実施形態では、折り返し部９ａ〜９ｈ毎に先端が上面２に当接しているが、上面２に折り返し部９ａ〜９ｈ毎に先端部が挿通する第２の貫通溝を設けても良い。この場合、折り返し部９ａ〜９ｈ毎に第２の貫通溝により動きにくくなるため、より支持板７ａ〜７ｄが動きにくくなる。
【００３４】
また、爪７０ａ〜７０ｄを支持板７ａ〜７ｄの先端毎に設けているが、爪７０ａ〜７０ｄを設けずに、貫通溝１０ａ〜１０ｄの形状を支持板の形状と略同じ形状で設け、支持板７ａ〜７ｄを直接貫通溝１０ａ〜１０ｄに挿通させても良い。
【００３５】
また、貫通溝１０ａ〜１０ｄを底面５に設けずとも良い。この場合、支持板７ａ〜７ｄの先端部毎に爪７０ａ〜７０ｄを設けずとも良く、支持板７ａ〜７ｄは、底面５と接触する状態や、底面５と離れた状態であっても良い。この場合であっても、折り返し部９ａ〜９ｈが、対応する支持板７ａ〜７ｄに側辺が対向する位置に底面５を折り返して形成されていれば良い。こうしても、折り返し部９ａ〜９ｈ毎に対応する支持板７ａ〜７ｄが動きにくくなるので、物品が梱包材１の内部に入り込みにくくなる。
【００３６】
また、折り返し部９ａ〜９ｈの折り返し線の方向が、対応する支持板７ａ〜７ｄの折り返し線の方向に対して、略垂直な方向でなくともよく、折り返し部９ａ〜９ｈ毎の折り返し線の方向が、対応する支持板７ａ〜７ｄの折り返し線の方向に対して所定の角度（例えば、４５〜１３５度）異なっていることが好ましい。
【００３７】
また、折り返し部９ａ〜９ｈは、上面２に当接していなくとも良く、対応する支持板７ａ〜７ｄ毎に側辺が対向していれば良い。また、１つの支持板に対して２つの折り返し部が対応しているが、１つの支持板に対して１つの折り返し部が対応しても良い。
【００３８】
また、梱包材１に収納する物品は、ＰＮＤ２０に限らず、他の電子機器や他の物品であっても良い。この場合、収納する物品の形状に合わせて開口部３及び収納空間４の形状を変更すればよい。また、梱包材１を一枚の紙を折り返して形成しているが、上面２と底面５とを別々の紙により形成しても良い。
【図面の簡単な説明】
【００３９】
【図１】本実施形態に係る梱包材１を上面から見た外観斜視図である。
【図２】本実施形態に係る梱包材１を底面から見た外観斜視図である。
【図３】本実施形態に係る梱包材１の展開図である。
【図４】梱包材１の図１におけるＡＡ’方向での側面図である。
【図５】梱包材１の図１におけるＢＢ’方向での断面図である。
【図６】梱包材１の組み立て工程を示す図である。
【図７】ＰＮＤ２０を梱包材１に収納している状態を示す図である。
【符号の説明】
【００４０】
１−梱包材
２−上面
３−開口部
４−収納空間
５−底面
６ａ〜６ｃ−側面
７ａ〜７ｄ−支持板
８ａ，８ｂ−取出孔
９ａ〜９ｈ−折り返し部
１０ａ〜１０ｄ−貫通溝
１１−切り込み
１２−係合片
７０ａ〜７０ｄ−爪
２０−ＰＮＤ
【図１】
2009286492.tif 000003
【図２】
2009286492.tif 000004
【図３】
2009286492.tif 000005
【図４】
2009286492.tif 000006
【図５】
2009286492.tif 000007
【図６】
2009286492.tif 000008
【図７】
2009286492.tif 000009